(57)【要約】レンズ鏡筒は、被写体の光学像を形成する光学系と、前記光学系に含まれる少なくとも１枚のレンズを支持する第１の筒と、前記第１の筒の内側または外側に設けられた第２の筒と、を備える。前記第１の筒は、前記第２の筒が設けられた方の側面に、第１のカム溝を有し、前記第２の筒は、前記第１のカム溝と係合する第１のカムフォロアを有する。
2012073518.tif 000002
【特許請求の範囲】
【請求項１】
被写体の光学像を形成する光学系と、
前記光学系に含まれる少なくとも１枚のレンズを支持する第１の筒と、
前記第１の筒の内側または外側に設けられた第２の筒と、を備え、
前記第１の筒は、前記第２の筒が設けられた方の側面に、第１のカム溝を有し、
前記第２の筒は、前記第１のカム溝と係合する第１のカムフォロアを有する、
レンズ鏡筒。
【請求項２】
前記第２の筒は、前記第１の筒が設けられた方の側面に、第２のカム溝を有し、
前記第１の筒は、前記第２のカム溝と係合する第２のカムフォロアを有する、
請求項１に記載のレンズ鏡筒。
【請求項３】
前記第１のカム溝および前記第２のカム溝の少なくとも一方は、光軸方向の一方に壁面が設けられ、他方に壁面が設けられていない区間を有する、
請求項２に記載のレンズ鏡筒。
【請求項４】
前記第１のカムフォロアの前記第１のカム溝と係合する部分の幅の最大値は、前記第２のカムフォロアの前記第２のカム溝と係合する部分の幅の最大値と異なる、
請求項２に記載のレンズ鏡筒。
【請求項５】
外側または内側の一方の側面に、第１のカム溝と、第１のカムフォロアとを有する、第１の筒と、
前記第１の筒の前記側面側に配置され、前記第１のカムフォロアと係合する第２のカム溝と、前記第１のカム溝と係合する第２のカムフォロアとを有する、第２の筒と、
を備えるカム機構。
【請求項６】
前記第２のカムフォロアの前記第１のカム溝と係合する部分の幅の最大値は、前記第１のカムフォロアの前記第２のカム溝と係合する部分の幅の最大値よりも、広い、
請求項５に記載のカム機構。
【請求項７】
前記第２の筒が、前記第１の筒に対して相対的に回転し、前記第１の筒に対して相対的に回転軸方向に移動するとき、前記第１のカムフォロアが移動する領域の一部は、前記第２の筒の前記回転軸方向の端部よりも外側に位置している、
請求項６に記載のカム機構。
【請求項８】
前記第１のカムフォロアは、前記領域の一部に位置しているとき、前記第１の筒と前記第２の筒が繰り込む方向の力を受けると、前記第２の筒と接触する、
請求項７に記載のカム機構。
【請求項９】
被写体の光学像を形成する光学系と、
前記光学系に含まれる少なくとも１枚のレンズを支持する第１の筒と、
前記第１の筒の内側または外側に設けられた第２の筒と、を備え、
前記第１の筒および前記第２の筒の一方は、カム溝を有し、
前記第１の筒および前記第２の筒の他方は、前記カム溝と係合するカムフォロアを有し、
前記第１の筒は、前記第２の筒の側に突出した第１の突起を有し、
前記第２の筒は、前記第１の筒の側に突出した第２の突起を有し、
前記第１の筒は、前記カムフォロアが前記カム溝に沿って移動するときに前記第２の突起が移動する移動軌跡に沿って形成された第１の壁を有し、
前記第２の筒は、前記カムフォロアが前記カム溝に沿って移動するときに前記第１の突起が移動する移動軌跡に沿って形成された第２の壁を有する、
レンズ鏡筒。
【発明の詳細な説明】
【技術分野】
【０００１】
ここに開示された技術は、光学系を保持するレンズ鏡筒およびカム機構に関する。特に、筒の繰り出しに用いる構造に関する。
【背景技術】
【０００２】
焦点距離を変更可能な光学系を保持するレンズ鏡筒が知られている。このようなレンズ鏡筒は、カム溝が形成された第１移動カム環と、カム溝に係合するフォロアピンを有し、第１レンズ群を保持する１群鏡筒とにより、第１レンズ群を第１移動カム環に対して光軸方向に移動する（例えば、特許文献１、２参照）。
【先行技術文献】
【特許文献】
【０００３】
【特許文献１】特開２００７−２１９３０４号公報
【特許文献２】特開２００２−９０６１１号公報
【発明の概要】
【０００４】
ここに開示されたレンズ鏡筒は、被写体の光学像を形成する光学系と、光学系に含まれる少なくとも１枚のレンズを支持する第１の筒と、第１の筒の内側または外側に設けられた第２の筒と、を備える。第１の筒は、第２の筒が設けられた方の側面に、第１のカム溝を有する。第２の筒は、第１のカム溝と係合する第１のカムフォロアを有する。
【図面の簡単な説明】
【０００５】
【図１】図１は実施の形態１にかかるレンズ鏡筒を備えたデジタルカメラの斜視図である。
【図２】図２は実施の形態１にかかるレンズ鏡筒の沈胴時の斜視図である。
【図３】図３は実施の形態１にかかるレンズ鏡筒の撮影時の斜視図である。
【図４】図４は実施の形態１にかかるレンズ鏡筒の分解斜視図である。
【図５Ａ】図５Ａは実施の形態１にかかるレンズ鏡筒の沈胴時の構造図である。
【図５Ｂ】図５Ｂは実施の形態１にかかるレンズ鏡筒の沈胴時の他の構造図である。
【図６Ａ】図６Ａは実施の形態１にかかるレンズ鏡筒の広角端での構造図である。
【図６Ｂ】図６Ｂは実施の形態１にかかるレンズ鏡筒の広角端での他の構造図である。
【図７Ａ】図７Ａは実施の形態１にかかるレンズ鏡筒の望遠端での構造図である。
【図７Ｂ】図７Ｂは実施の形態１にかかるレンズ鏡筒の望遠端での他の構造図である。
【図８】図８は実施の形態１にかかるカム枠の斜視図である。
【図９】図９は実施の形態１にかかる１群枠の斜視図である。
【図１０】図１０は実施の形態１にかかる第２カム溝と第３カム溝の沈胴時の展開図である。
【図１１】図１１は実施の形態１にかかる第２カム溝と第３カム溝の広角端での展開図である。
【図１２】図１２は実施の形態１にかかる第２カム溝と第３カム溝の望遠端での展開図である。
【図１３】図１３は実施の形態２にかかるカム枠の斜視図である。
【図１４】図１４は実施の形態２にかかる１群枠の斜視図である。
【図１５】図１５は実施の形態２にかかる１群枠とカム枠の沈胴時の展開図である。
【図１６】図１６は実施の形態２にかかる１群枠とカム枠の広角端での展開図である。
【図１７】図１７は実施の形態２にかかる１群枠とカム枠の望遠端での展開図である。
【発明を実施するための形態】
【０００６】
（実施の形態１）
以下、図面を参照して、実施の形態１について説明する。なお、説明の便宜上、デジタルカメラ１の被写体側を前方又は正面側、撮影者側を後方又は背面側、デジタルカメラ１の横撮り姿勢における鉛直上側を上側、デジタルカメラ１の横撮り姿勢における鉛直下側を下側、被写体側から見て右側を右側、被写体側から見て左側を左側と定義する。横撮り姿勢とは、ＣＣＤ１１０の長辺方向が水平方向と平行になり、ＣＣＤ１１０の短辺方向が鉛直方向と平行になる姿勢である。
【０００７】
＜デジタルカメラの構成＞
図１に示すように、デジタルカメラ１は、レンズ鏡筒１００を備える。デジタルカメラ１は、電源スイッチ１０により電源が投入されると、レンズ鏡筒１００が繰り出され、撮影が可能になる。
【０００８】
なお図１にはデジタルカメラ１が示されているが、これは撮像装置の一例である。デジタルカメラではなく、フィルムカメラであってもよいし、また、レンズ鏡筒１００を取り外して交換することが可能なカメラであってもよい。さらに、スティルカメラではなく、動画を撮影可能なカムコーダであってもよい。
【０００９】
＜レンズ鏡筒の全体構成＞
レンズ鏡筒１００は、デジタルカメラ１の電源がＯＦＦのとき、図２に示すように、沈胴状態である。沈胴状態のとき、レンズ鏡筒１００の複数の枠が繰り込まれ、光軸ＡＸ方向のサイズが小さくなっている。レンズ鏡筒１００は、デジタルカメラ１の電源がＯＮのとき、図３に示すように、撮影可能な状態である。撮影可能状態のとき、レンズ鏡筒１００の複数の枠が繰り出され、光軸ＡＸ方向のサイズが大きくなっている。
【００１０】
図４から図７に示すように、レンズ鏡筒１００は、光学系Ｏと、レンズ駆動機構とを備える。レンズ鏡筒１００には、さらに、ＣＣＤ１１０が固定されている。
【００１１】
光学系Ｏは、被写体の光学像をＣＣＤ１１０の受光面上に形成する。光学系Ｏは、第１レンズ群Ｇ１と、第２レンズ群Ｇ２と、第３レンズ群Ｇ３とを有する。第１レンズ群Ｇ１は、第１レンズＬ１と第２レンズＬ２とからなる。第２レンズ群Ｇ２は、第３レンズＬ３と、第４レンズＬ４と、第５レンズＬ５と、第６レンズＬ６とからなる。第３レンズ群Ｇ３は、第７レンズＬ７からなる。レンズ鏡筒１００は、第１レンズ群Ｇ１と、第２レンズ群Ｇ２と、第３レンズ群Ｇ３とをそれぞれ光軸ＡＸ方向に移動し、第１レンズ群Ｇ１と第２レンズ群Ｇ２との間隔、および、第２レンズ群Ｇ２と第３レンズ群Ｇ３との間隔を変化させて、光学系Ｏの焦点距離を変更する。焦点距離の変更は、ズーミングともいう。また、レンズ鏡筒１００は、第３レンズ群Ｇ３を光軸ＡＸ方向に移動し、光学系Ｏの焦点状態を変化させる。焦点状態の変化は、フォーカシングともいう。なお、光学系Ｏの各レンズの構成（枚数や形状）は、他の構成であってもよい。
【００１２】
ＣＣＤ１１０は、被写体の光学像を受光し、電気的な画像信号に変換し、出力する。ＣＣＤ１１０は、撮像素子の一例である。撮像素子は、ＣＭＯＳイメージセンサーであってもよい。
【００１３】
第１レンズ群Ｇ１と第２レンズ群Ｇ２と第３レンズ群Ｇ３とは、レンズ駆動機構１１１によって駆動される。以下、レンズ駆動機構の詳細について、説明する。
【００１４】
＜レンズ駆動機構＞
レンズ駆動機構は、１群枠１０１と、１群直進枠１０２と、カム枠１０３と、２群直進枠１０４と、ブレ補正枠１０５と、シャッターユニット１０６と、固定枠１０７と、３群枠１０８と、マスターフランジ１０９とを備える。
【００１５】
１群枠１０１は、第１レンズ群Ｇ１を保持する。ブレ補正枠１０５は、第２レンズ群Ｇ２を保持する。３群枠１０８は、第３レンズ群Ｇ３を保持する。１群枠１０１とブレ補正枠１０５と３群枠１０８とは、固定枠１０７に対して、光軸方向に駆動される。
【００１６】
（固定枠１０７）
固定枠１０７の内面には、３本の第１カム溝１１２と、６本の第１直進案内溝１１３とが形成されている。固定枠１０７は、第１カム溝１１２を介して、カム枠１０３を支持する。また固定枠１０７は、第１直進案内溝１１３を介して、１群直進枠１０２を支持する。
【００１７】
固定枠１０７の外周部には、光軸と平行な回転軸を有する第１駆動ギア１１４が固定されている。固定枠１０７の外周部には、さらに、デジタルカメラ１の本体へ取り付けされる取付部１１５が形成されている。つまり、固定枠１０７は、デジタルカメラ１の本体に固定される。具体的には、たとえば、取付部１１５がネジ止めされる。
【００１８】
固定枠１０７には、マスターフランジ１０９が固定されている。具体的には、固定枠１０７にはビス止め用ボスが形成されている。マスターフランジ１０９は、固定枠１０７のビス止め用ボスとビスによって、固定枠１０７に固定されている。
【００１９】
固定枠１０７には、ズームモーターユニット１１６が固定されている。ズームモーターユニット１１６は、第１駆動ギア１１４を回転駆動する。
【００２０】
（カム枠１０３）
図８に示すように、カム枠１０３は、筒状の筒部１１７と、筒部１１７の後方の端部から外周側に形成された第１フランジ部１１８とを有する。
【００２１】
第１フランジ部１１８の外周部には、３つの第１カムピン１１９と、ギア部１２０と、第１バヨネット係合部１２１とが形成されている。図４から図７に示すように、第１カムピン１１９は、それぞれ、第１カム溝１１２のうちの１つと係合している。カム枠１０３は、第１カムピン１１９を介して、固定枠１０７に支持されている。ギア部１２０は、第１駆動ギア１１４とかみ合い、第１駆動ギア１１４によって回転される。つまり、カム枠１０３は、ギア部１２０と第１駆動ギア１１４とを介して、ズームモーターユニット１１６によって回転駆動される。
【００２２】
筒部１１７の外面には、６個の第２カムピン１２２と、３本の第３カム溝１２３が形成されている。第２カムピン１２２は、２個ずつの組が３組あり、それぞれの組が光軸ＡＸ方向に距離を隔てて並んで配置されている。第３カム溝１２３は、後方に連続した壁面１２４を有する。壁面１２４の前方は、一部の区間で開放されている。具体的には、第３カム溝１２３は、壁面１２４の前方に別の壁面が存在する第１区間１２３Ａと、壁面１２４の前方が開放された第２区間１２３Ｂとを有する。なお、他の実施形態としては、壁面１２４の前方が全区間で開放されているものが考えられる。
【００２３】
筒部１１７の内面には、６本の第４カム溝１２５と、第２バヨネット係合部１２６が形成されている。
【００２４】
（１群直進枠１０２）
図４から図７に示すように、１群直進枠１０２は、筒状の形状である。１群直進枠１０２の外面には、外側に突出した６個の第１直進案内凸部１２７が形成されている。第１直進案内凸部１２７は、第１直進案内溝１１３と係合している。第１直進案内溝１１３は光軸ＡＸ方向に伸びた溝であり、第１直進案内凸部１２７を案内する。１群直進枠１０２は、第１直進案内凸部１２７と第１直進案内溝１１３とによって、固定枠１０７に支持され、固定枠１０７に対して光軸ＡＸ方向に移動可能であり、固定枠１０７に対して光軸ＡＸを中心とした回転方向に回転するのが規制される。
【００２５】
１群直進枠１０２の内面には、６本の第２直進案内溝１２８と、第３バヨネット係合部１２９とが形成されている。第２直進案内溝１２８は、光軸ＡＸ方向に伸びた溝である。第３バヨネット係合部１２９は、円周方向に伸びた溝である。第３バヨネット係合部１２９は第１バヨネット係合部１２１と係合している。第３バヨネット係合部１２９と第１バヨネット係合部１２１との係合によって、カム枠１０３に対して１群直進枠１０２が光軸ＡＸ方向に移動するのが規制され、１群直進枠１０２に対してカム枠１０３が回転可能である。
【００２６】
（２群直進枠１０４）
図４から図７に示すように、２群直進枠１０４は、第２フランジ部１３０と２本の腕部１３１を有する。腕部１３１は、第２フランジ部１３０の内周側から、光軸ＡＸと平行に、前方へ伸びている。
【００２７】
第２フランジ部１３０の外周には、外側に突出した３個の第２直進案内凸部１３２と、円周方向に伸びた形状の第４バヨネット係合部１３３とが形成されている。第２直進案内凸部１３２は、それぞれ、第１直進案内溝１１３の１つと係合している。第２直進案内凸部１３２と第１直進案内溝１１３との係合により、２群直進枠１０４は、固定枠１０７に支持され、固定枠１０７に対して光軸ＡＸ方向に移動可能であり、固定枠１０７に対して光軸ＡＸを中心とした回転方向に回転するのが規制される。また、第４バヨネット係合部１３３は第２バヨネット係合部１２６と係合している。第４バヨネット係合部１３３と第２バヨネット係合部１２６との係合により、カム枠１０３に対して２群直進枠１０４が光軸ＡＸ方向に移動するのが規制され、２群直進枠１０４に対してカム枠１０３が回転可能である。
【００２８】
（１群枠１０１）
図４から図９に示すように、１群枠１０１は、第１レンズ群Ｇ１を支持する。また、１群枠１０１は、前方に、バリアユニット１３４を支持する。バリアユニット１３４は、開閉可能なバリア部１３５を有する。沈胴時には、バリア部１３５が閉じられ、バリア部１３５は第１レンズ群Ｇ１を保護し、また、光学系Ｏへの光の進入を遮る。撮影時には、バリア部１３５が開かれ、光学系Ｏに光が導かれる。
【００２９】
１群枠１０１の外周部には、外側に突出した６個の第３直進案内凸部１３６が形成されている。第３直進案内凸部１３６は、それぞれ、第２直進案内溝１２８の１つに係合している。第３直進案内凸部１３６と第２直進案内溝１２８の係合により、１群枠１０１は、１群直進枠１０２に支持され、１群直進枠１０２に対して光軸ＡＸ方向に移動可能であり、１群直進枠１０２に対して光軸ＡＸを中心とした回転方向に回転するのが規制される。
【００３０】
１群枠１０１の内周面には、内側に突出した３個の第３カムピン１３７と、６本の第２カム溝１３８とが形成されている。第２カム溝１３８には、それぞれ、第２カムピン１２２のうちの１つが係合する。第２カムピン１２２と第２カム溝１３８との係合によって、１群枠１０１はカム枠１０３に支持されている。また、第２カム溝１３８に沿って第２カムピン１２２が移動することにより、１群枠１０１はカム枠１０３に対して光軸ＡＸ方向に移動する。
【００３１】
第３カムピン１３７は、それぞれ、第３カム溝１２３のうちの１つと係合している。具体的には、第３カムピン１３７は第３カム溝１２３のうちの１つに挿入されている。第２カム溝１３８に沿って第２カムピン１２２が移動するときの第３カムピン１３７の移動軌跡に沿って、壁面１２４が形成されている。壁面１２４は、第３カムピン１３７の後方に、第３カムピン１３７とわずかに距離を隔てて形成されている。
【００３２】
（ブレ補正枠１０５）
図４から図７に示すように、ブレ補正枠１０５は、第２レンズ群Ｇ２を支持する。ブレ補正枠１０５は、シャッターユニット１０６に支持されている。ブレ補正枠１０５は、シャッターユニット１０６に対して光軸ＡＸと直交する面内で移動可能であり、シャッターユニット１０６に対して光軸ＡＸ方向への移動が規制されている。第２レンズ群Ｇ２は、光軸ＡＸと直交する面内で移動することにより、受光面上での光学像の位置を変更する。ブレ補正枠１０５は駆動手段によって駆動される。たとえば、ブレ補正枠１０５は、デジタルカメラ１のブレに起因して発生する光学像のブレを抑制するように駆動される。
【００３３】
（シャッターユニット１０６）
シャッターユニット１０６は、図示しないシャッターを内包している。シャッターが開放されているとき、シャッターユニット１０６は光を透過し、シャッターが閉じられているとき、シャッターユニット１０６は光を遮蔽する。シャッターユニット１０６は、光学系Ｏの光の透過および遮蔽を制御可能である。
【００３４】
シャッターユニット１０６の外周面には、６個の第４カムピン１３９（１３９Ａ，１３９Ｂ）と、２つの第３直進案内溝１４０とが形成されている。
【００３５】
第４カムピン１３９は、第４カム溝１２５（１２５Ａ，１２５Ｂ）と係合している。第４カムピン１３９と第４カム溝１２５との係合によって、シャッターユニット１０６はカム枠１０３に支持されている。また、第４カム溝１２５に沿って第４カムピン１３９が移動することにより、シャッターユニット１０６はカム枠１０３に対して光軸ＡＸ方向に移動する。
【００３６】
第３直進案内溝１４０には、腕部１３１が係合している。第３直進案内溝１４０と腕部１３１の係合により、シャッターユニット１０６は２群直進枠１０４に対して光軸ＡＸ方向に移動可能であり、２群直進枠１０４に対して光軸ＡＸを中心とした回転方向に回転するのが規制される。
【００３７】
（３群枠１０８）
図４から図７に示すように、３群枠１０８は、第３レンズ群Ｇ３を支持する。３群枠１０８は、直進ガイド部１４１と、回転防止部１４２と、ナット係合部１４３とを有する。直進ガイド部１４１には、第１ガイドポール１４４が挿入されている。第１ガイドポール１４４は、光軸ＡＸと平行な方向に伸びている。直進ガイド部１４１と第１ガイドポール１４４との係合によって、直進ガイド部１４１は光軸ＡＸ方向に移動可能であり、第１ガイドポール１４４と直交する移動が規制されている。回転防止部１４２には、第２ガイドポール１４５が係合している。第２ガイドポール１４５は、光軸ＡＸと平行な方向に伸びている。回転防止部１４２と第２ガイドポール１４５との係合によって、３群枠１０８が第１ガイドポール１４４を中心として回転するのが規制される。ナット係合部１４３には、フォーカスモーターユニット１４８のナット１４９が係合する。フォーカスモーターユニット１４８は、モーターと、モーターによって回転されるリードスクリューとを有する。リードスクリューは、光軸ＡＸ方向に伸びている。ナットは、リードスクリューと係合し、リードスクリューの回転によって光軸ＡＸ方向に駆動される。つまり、３群枠１０８は、フォーカスモーターユニット１４８によって、光軸ＡＸ方向に駆動される。
【００３８】
（マスターフランジ１０９）
マスターフランジ１０９には、第１ガイドポール１４４と第２ガイドポール１４５とが固定されている。つまり、マスターフランジ１０９は、第１ガイドポール１４４および第２ガイドポール１４５を介して、３群枠１０８を支持している。
【００３９】
また、マスターフランジ１０９には、ＣＣＤ取付板１４６を介して、ＣＣＤ１１０が後方から固定されている。ＣＣＤ１１０は、開口部１４７を通して前方に、受光面を向けている。
【００４０】
フォーカスモーターユニット１４８のモーターは、モーター取付板を介して、マスターフランジ１０９に固定されている。３群枠１０８は、フォーカスモーターユニット１４８によって、マスターフランジ１０９に対して光軸ＡＸ方向に駆動される。
【００４１】
＜レンズ鏡筒の動作＞
次に、レンズ鏡筒１００の動作を説明する。あわせて、さらに詳細な構成についても説明する。
【００４２】
カム枠１０３は、ズームモーターユニット１１６によって、固定枠１０７に対して回転する。カム枠１０３の第１カムピン１１９が固定枠１０７の第１カム溝１１２に沿って移動し、カム枠１０３は固定枠１０７に対して光軸ＡＸ方向に移動する。つまり、カム枠１０３は、回転可能、かつ、光軸ＡＸ方向に移動可能である。その際の、第３カムピン１３７の移動軌跡１３７Ｔ、第２前方カムピン１２２Ａの移動軌跡１２２ＡＴ、第２後方カムピン１２２Ｂの移動軌跡１２２ＢＴを図１０から図１２に図示している。
【００４３】
１群直進枠１０２の第３バヨネット係合部１２９とカム枠１０３の第１バヨネット係合部１２１との係合によって、１群直進枠１０２はカム枠１０３と一体となって光軸ＡＸ方向に移動する。このとき、１群直進枠１０２の第１直進案内凸部１２７が固定枠１０７の第１直進案内溝１１３に沿って移動するため、１群直進枠１０２は固定枠１０７に対して回転しない。つまり、１群直進枠１０２は、回転不能、かつ、光軸ＡＸ方向に移動可能である。
【００４４】
１群枠１０１の第３直進案内凸部１３６と１群直進枠１０２の第２直進案内溝１２８との係合によって、１群枠１０１は１群直進枠１０２に対して回転しない。つまり、１群枠１０１は回転不能である。そして、カム枠１０３が回転すると、カム枠１０３の第２カムピン１２２が１群枠１０１の第２カム溝１３８に沿って移動し、１群枠１０１がカム枠１０３に対して光軸ＡＸ方向に移動する。言い換えると、１群枠１０１は１群直進枠１０２に対して光軸ＡＸ方向に移動する。つまり、１群枠１０１は光軸ＡＸ方向に移動可能である。
【００４５】
２群直進枠１０４の第４バヨネット係合部１３３とカム枠１０３の第２バヨネット係合部１２６との係合によって、２群直進枠１０４はカム枠１０３と一体となって光軸ＡＸ方向に移動する。このとき、２群直進枠１０４の第２直進案内凸部１３２と固定枠１０７の第１直進案内溝１１３との係合によって、２群直進枠１０４は回転しない。
【００４６】
シャッターユニット１０６の第３直進案内溝１４０と２群直進枠１０４の腕部１３１との係合によって、シャッターユニット１０６は回転しない。カム枠１０３が回転すると、シャッターユニット１０６の第４カムピン１３９がカム枠１０３の第４カム溝１２５に沿って移動し、シャッターユニット１０６がカム枠１０３に対して光軸ＡＸ方向に移動する。ブレ補正枠１０５は、シャッターユニット１０６と一体となって光軸ＡＸ方向に移動する。
【００４７】
３群枠１０８は、フォーカスモーターユニット１４８によって、マスターフランジ１０９に対して光軸ＡＸ方向に移動する。
【００４８】
従って、沈胴状態から、カム枠１０３のギア部１２０に第１駆動ギア１１４を介してズームモーターユニット１１６の回転力が伝わると、カム枠１０３は光軸ＡＸ回りに回転し、又は、回転しながら前進する。カム枠１０３と１群直進枠１０２および２群直進枠１０４は、固定枠１０７に対して、光軸ＡＸ方向に一体的に移動する。その際、１群直進枠１０２および２群直進枠１０４は回転しない。そして、カム枠１０３の回転力によって、１群枠１０１およびシャッターユニット１０６が光軸ＡＸ方向に移動する。その際、１群枠１０１およびシャッターユニット１０６は回転しない。
【００４９】
＜１群枠１０１の駆動機構の特徴＞
１群枠１０１は、レンズを支持する枠である。レンズを支持する強度を保証するため、筒の厚みは一定以上必要である。１群枠１０１は、特に、第１レンズ群Ｇ１を支持している。第１レンズ群Ｇ１は光学系Ｏの中で最も被写体側に配置されるため、特に大きい。そのため、第１レンズ群Ｇ１を支持する枠は、特に、厚みが大きい必要がある。一方、１群枠１０１に第２カム溝１３８を設けても、強度の低下は小さい。１群枠１０１に第２カム溝１３８を形成することにより、１群枠１０１を大型化することなく、また、１群枠１０１の強度を維持しつつ、カム枠１０３に対する１群枠１０１の駆動機構を実現することができる。なお、第２カム溝１３８は１群枠１０１の外周側に設けてもよいが、第２カム溝１３８を内側に設ける方が外観上好ましい。また、他の実施形態としては、第１レンズ群Ｇ１以外のレンズを保持する枠に、枠を駆動する駆動機構を構成するカム溝を設ける構成が考えられる。
【００５０】
カム枠１０３に対する１群枠１０１の移動は、第２カム溝１３８と第２カムピン１２２との係合によって行われる。そのため、他の実施形態としては、第３カムピン１３７と第３カム溝１２３がなくてもよい。そうすると、カム枠１０３に必要なカム溝は内面だけになり、カム枠１０３の設計自由度が高まる。たとえば、カム枠１０３の厚みを薄くすることができ、レンズ鏡筒１００の外径を小さくすることができる。
【００５１】
一方、本実施形態では、カム枠１０３の第３カム溝１２３と１群枠１０１の第３カムピン１３７が係合している。１群枠１０１が前方に繰り出された状態で１群枠１０１が前方から力を受けたとき、その力を第２カム溝１３８と第２カムピン１２２との接触によって受けるだけでなく、第３カム溝１２３と第３カムピン１３７との接触によって受けることができる。具体的には、壁面１２４と第３カムピン１３７が接触して力を受ける。そして、第２カム溝１３８と第２カムピン１２２にかかる力を低減することができる。このように、たとえばデジタルカメラ１の落下によって１群枠１０１に衝撃が加わった際に破損しにくい構成となっている。また、第２カム溝１３８と第２カムピン１２２にかかる力を低減することができるため、第２カム溝１３８の幅と、第２カムピン１２２の第２カム溝１３８と係合する部分の幅を小さくすることができる。そのため、第２カム溝１３８の幅が小さいため、１群枠１０１の強度を高めることができる。さらに、第２カム溝１３８の幅が小さいため、１群枠１０１の光軸ＡＸ方向の移動量を確保しつつ、１群枠１０１の光軸ＡＸ方向の大きさを小さくすることができる。
【００５２】
第２カムピン１２２の第２カム溝１３８と係合する部分の幅の最大値は、第３カムピン１３７の第３カム溝１２３と係合する部分の幅の最大値と異なっている。そのため、設計自由度が高い。本実施形態では、第２カムピン１２２の第２カム溝１３８と係合する部分の幅の最大値は、第３カムピン１３７の第３カム溝１２３と係合する部分の幅の最大値よりも小さいが、大きくてもいい。本実施形態では、第２カムピン１２２の第２カム溝１３８と係合する部分の幅の最大値は、第３カムピン１３７の第３カム溝１２３と係合する部分の幅の最大値よりも小さいため、第２カム溝１３８を細くして１群枠１０１の強度を高くすることができるとともに、第３カムピン１３７を大きくして落下等の衝撃に対する強度を高くすることができる。
【００５３】
幅の狭い第２カムピン１２２は、第２カム溝１３８に接触しながら第２カム溝１３８に沿って移動する。カム枠１０３に対する１群枠１０１の位置は、第２カムピン１２２と第２カム溝１３８の係合によって決まる。第２カムピン１２２および第２カム溝１３８は、移動軌跡保証用のカム機構である。一方、幅の広い第３カムピン１３７は、第３カム溝１２３の壁面１２４とわずかに隙間を空けた状態で、壁面１２４に沿って移動する。１群枠１０１に前方から衝撃が加わると、第３カムピン１３７と壁面１２４とが接触する。第３カムピン１３７および第３カム溝１２３（壁面１２４）は、落下強度保証用のカム機構である。もちろん、第３カムピン１３７と壁面１２４とは接触していてもよい。しかし、第３カムピン１３７と壁面１２４との間に隙間を空けた方が、カム枠１０３に対する１群枠１０１の位置が第２カムピン１２２と第２カム溝１３８の形状精度だけで決定し、位置精度が高いため好ましい。さらに、移動軌跡保証用のカム機構である第２カムピン１２２および第２カム溝１３８の幅が小さいため、１群枠１０１の光軸ＡＸ方向の移動量を確保しつつ、１群枠１０１の光軸ＡＸ方向の大きさを小さくすることができる。
【００５４】
第３カム溝１２３は、後方にのみ壁面１２４が形成されており、前方には壁面が設けられていない区間を有する。具体的には、光学系Ｏの広角端から望遠端までの変化の際に第３カムピン１３７が移動する区間において、第３カム溝１２３の前方の壁面が形成されていない。これにより、第３カムピン１３７の幅を大きくすることができ、第３カムピン１３７の強度を高めることができる。よって、１群枠１０１への衝撃に対する強度を高めることができる。また、第３カム溝１２３の前方の壁面が形成されていないため、カム枠１０３の第３カム溝１２３、より具体的には壁面１２４の形状がアンダーカットになりにくく、金型でカム枠１０３を成型する際に容易である。そして、金型でカム枠１０３を成型する際に、壁面１２４の角度を光軸ＡＸと直交する角度に近づけることができ、衝撃によって第３カムピン１３７と壁面１２４が接触する際に第３カムピン１３７が脱落しにくくなり、衝撃に対する強度が高くなる。
【００５５】
なお、他の実施形態として、片方の溝が存在しない区間を有する落下強度保証用のカム溝を１群枠１０１に設け、移動軌跡保証用のカム溝をカム枠１０３に設けてもよい。また、落下強度保証用のカム溝と移動軌跡保証用のカム溝とを、１群枠１０１とカム枠１０３のそれぞれに設けても、同様の効果が得られる。
【００５６】
カム枠１０３の外面の第２カムピン１２２は、光軸ＡＸ方向に同じ位置で、かつ、光軸ＡＸを中心に略１２０°ピッチで配列した３個の第２前方カムピン１２２Ａと、第２前方カムピン１２２Ａに対して光軸ＡＸ方向にずれた位置で、かつ、光軸ＡＸを中心に略１２０°ピッチで配列した３個の第２後方カムピン１２２Ｂから成る。１群枠１０１の内面の第２カム溝１３８は、光軸ＡＸ方向に同じ位置で、かつ、光軸ＡＸを中心に略１２０°ピッチで配列した３本の第２前方カム溝１３８Ａと、第２前方カム溝１３８Ａに対して光軸ＡＸ方向にずれた位置で、かつ、光軸ＡＸを中心に略１２０°ピッチで配列した第２後方カム溝１３８Ｂから成る。レンズ鏡筒１００が沈胴の時の１群枠１０１とカム枠１０３の位置（図１０に示す位置。以下、沈胴位置ともいう。）、光学系Ｏの焦点距離が広角端の時の１群枠１０１とカム枠１０３の位置（図１１に示す位置。以下、Ｗｉｄｅ位置ともいう）、光学系Ｏの焦点距離が標準の時の１群枠１０１とカム枠１０３の位置（以下、Ｎｏｒｍａｌ位置ともいう。）、光学系Ｏの焦点距離が望遠端の時の１群枠１０１とカム枠１０３の位置（図１２に示す位置。以下、Ｔｅｌｅ位置ともいう。）と変化する際の第２カムピン１２２と第２カム溝１３８の関係を説明する。
【００５７】
図１０から図１２に示すように、１群枠１０１に対してカム枠１０３が一方向に回転すると、第２前方カムピン１２２Ａは、沈胴位置（図１０）、Ｗｉｄｅ位置（図１１）、Ｎｏｒｍａｌ位置、Ｔｅｌｅ位置（図１２）の順に移動する。その際の、第３カムピン１３７の移動軌跡１３７Ｔ、第２前方カムピン１２２Ａの移動軌跡１２２ＡＴ、第２後方カムピン１２２Ｂの移動軌跡１２２ＢＴを図１０から図１２に図示している。その際、第２前方カムピン１２２Ａは、沈胴位置とＷｉｄｅ位置の間の位置（以下、第１位置ともいう）からＴｅｌｅ位置の区間で第２前方カム溝１３８Ａに係合する。沈胴位置から第１位置の区間では、第２前方カムピン１２２Ａは第２前方カム溝１３８Ａに接触していない。沈胴位置から第１位置の区間では、第２前方カム溝１３８Ａが形成されていない。一方、第２後方カムピン１２２Ｂは、沈胴位置から第１位置の区間で第２後方カム溝１３８Ｂに係合している。第１位置からＴｅｌｅ位置の区間では、第２後方カムピン１２２Ｂは第２後方カム溝１３８Ｂに接触していない。第１位置からＴｅｌｅ位置の区間の一部には、第２後方カム溝１３８Ｂが形成されていない。
【００５８】
第２カム溝１３８は第２カムピン１２２（１２２Ａまたは１２２Ｂ）が沈胴位置から望遠位置まで移動するすべての区間で単独で係合するようにしてもよいが、その場合は、第２カム溝１３８が光軸ＡＸ方向に大きくなる。一方、本実施形態のように沈胴位置から望遠位置に移動する間に第２カムピン１２２（１２２Ａ及び１２２Ｂ）と第２カム溝１３８（１３８Ａ及び１３８Ｂ）が係合する部分を乗り換える構成では、１群枠１０１を光軸ＡＸ方向に小さくしつつ、１群枠１０１のカム枠１０３に対する移動量を大きくすることができる。なお、第２前方カムピン１２２Ａおよび第２後方カムピン１２２Ｂを１群枠１０１に設け、第２前方カム溝１３８Ａおよび第２後方カム溝１３８Ｂをカム枠１０３に設ける構成でもよい。
【００５９】
なお、他の実施形態として、第２前方カムピン１２２Ａと第２後方カム溝１３８Ｂを１群枠１０１に設け、第２後方カムピン１２２Ｂと第２前方カム溝１３８Ａをカム枠１０３に設けても、同様の効果が得られる。さらに、第２前方カムピン１２２Ａと第２後方カム溝１３８Ｂをカム枠１０３に設け、第２後方カムピン１２２Ｂと第２前方カム溝１３８Ａを１群枠１０１に設けても、同様の効果が得られる。
【００６０】
＜シャッターユニット１０６の駆動機構の特徴＞
シャッターユニット１０６の外面の第４カムピン１３９は、光軸ＡＸ方向に同じ位置で、かつ、光軸ＡＸを中心に略１２０°ピッチで配列した３個の第４前方カムピン１３９Ａと、第４前方カムピン１３９Ａに対して光軸ＡＸ方向にずれた位置で、かつ、光軸ＡＸを中心に略１２０°ピッチで配列した３個の第４後方カムピン１３９Ｂから成る。カム枠１０３の内面の第４カム溝１２５は、光軸ＡＸ方向に同じ位置で、かつ、光軸ＡＸを中心に略１２０°ピッチで配列した３本の第４前方カム溝１２５Ａと、第４前方カム溝１２５Ａに対して光軸ＡＸ方向にずれた位置で、かつ、光軸ＡＸを中心に略１２０°ピッチで配列した第４後方カム溝１２５Ｂから成る。
【００６１】
シャッターユニット１０６に対してカム枠１０３が一方向に回転すると、第４前方カムピン１３９Ａは、沈胴位置、Ｗｉｄｅ位置、Ｎｏｒｍａｌ位置、Ｔｅｌｅ位置の順に移動する。その際、第４前方カムピン１３９Ａは、沈胴位置からＷｉｄｅ位置を経由してＮｏｒｍａｌ位置の区間で第４前方カム溝１２５Ａに係合する。Ｎｏｒｍａｌ位置からＴｅｌｅ位置の区間では、第４前方カムピン１３９Ａは第４前方カム溝１２５Ａに接触していない。Ｎｏｒｍａｌ位置からＴｅｌｅ位置の区間の一部では、第４前方カム溝１２５Ａが形成されていない。一方、第４後方カムピン１３９Ｂは、Ｎｏｒｍａｌ位置からＴｅｌｅ位置の区間で第４後方カム溝１２５Ｂに係合している。沈胴位置からＮｏｒｍａｌ位置の区間では、第４後方カムピン１３９Ｂは第４後方カム溝１２５Ｂに接触していない。沈胴位置からＮｏｒｍａｌ位置の区間の一部では、第４後方カム溝１２５Ｂが形成されていない。
【００６２】
このような構成により、カム枠１０３を光軸ＡＸ方向に小さくしつつ、シャッターユニット１０６のカム枠１０３に対する光軸ＡＸ方向の移動量を大きくすることができる。
【００６３】
＜他の実施形態＞
（Ａ）実施の形態１では、１群枠１０１の内側にカム枠１０３が収容される構成であったが、１群枠１０１の外側にカム枠１０３が収容される構成であってもよい。
【００６４】
（Ｂ）実施の形態１では、第２カムピン１２２および第３カムピン１３７は、略円筒形状であった。第２カムピン１２２および第３カムピン１３７はカムフォロアの一例である。カムフォロアは、楕円形状やその他の形状であってもよい。カムフォロアは、樹脂による一体成型であってもよく、金属等の他の部材で構成されてもよい。また、カムフォロアは、軸とローラーとで構成されてもよい。
【００６５】
（Ｃ）実施の形態１において、第２カム溝１３８は貫通溝ではなく、底を有している。しかし、第２カム溝１３８は貫通溝でもよい。しかし、底を有している方が、レンズを保持するための強度が得られるため、好ましい。
【００６６】
（Ｄ）第３カム溝１２３の内側には第４カム溝１２５が形成されないようにすると、カム枠１０３の厚みをさらに薄くすることができるため、好ましい。
【００６７】
＜実施の形態１の特徴＞
特許文献１に開示された１群鏡筒のように、レンズを保持する筒は、レンズを保持するための強度が必要である。そのため、レンズを保持する筒は、ある程度の厚みが必要である。レンズを保持する筒において、ある程度の厚みを維持しつつ、その一部を駆動機構等に利用すれば、直径方向の小型化を維持しつつ、駆動機構の設計自由度を高めることができる。しかし、そのような提案はいまだなされていない。
【００６８】
そこで、ここに開示された技術は、直径方向の小型化を維持しつつ、駆動機構の設計自由度を高めることができるレンズ鏡筒を提供することを目的とする。
【００６９】
以下、実施の形態１において特徴的な部分を以下に列記する。なお、実施の形態１に含まれる発明は、以下に限定されるものではない。なお、各構成の後ろに括弧で記載したものは、特徴の理解を助けるために記載した、各構成の具体例である。各構成はこれらの具体例に限定されるものではない。また、各特徴について記載された効果を得るためには、記載された特徴以外の構成は変形または削除されてもよい。
【００７０】
［Ｆ１］
被写体の光学像を形成する光学系（Ｏ）と、
前記光学系に含まれる少なくとも１枚のレンズ（第１レンズ群Ｇ１）を支持する第１の筒（１群枠１０１）と、
前記第１の筒の内側または外側に設けられた第２の筒（カム枠１０３）と、を備え、
前記第１の筒は、前記第２の筒が設けられた方の側面に、第１のカム溝（第２カム溝１３８）を有する、レンズ鏡筒。
【００７１】
前記第２の筒は、前記第１のカム溝と係合する第１のカムフォロア（第２カムピン１２２）を有する。
（効果）直径方向の小型化を維持しつつ、駆動機構の設計自由度を高めることができるレンズ鏡筒を提供することができる。
【００７２】
［Ｆ２］
前記第２の筒は、前記第１の筒が設けられた方の側面に、第２のカム溝（第３カム溝１２３）を有し、
前記第１の筒は、前記第２のカム溝と係合する第２のカムフォロア（第３カムピン１３７）を有する、
Ｆ１に記載のレンズ鏡筒。
（効果）カムフォロアを第１の筒と第２の筒の双方に配置できるのでカムフォロアの本数を増やすことができ、落下強度を上げることができる。
【００７３】
［Ｆ３］
前記第１のカム溝および前記第２のカム溝（第３カム溝１２３）の少なくとも一方は、光軸方向の一方に壁面（１２４）が設けられ、他方に壁面が設けられていない区間（１２３Ｂ）を有する、
Ｆ２に記載のレンズ鏡筒。
（効果）光軸方向の一方に壁面が設けられ、他方に壁面が設けられていない区間を有するカム溝に係合するカムフォロアの幅を大きくすることができるため、カムフォロアの強度を高めることができる。よって、レンズ鏡筒への衝撃に対する強度を高めることができる。また、他方に壁面が設けられていないため、一方の壁面形状がアンダーカットになりにくく、金型で筒を成型する際に容易である。その際、壁面の角度を光軸と直交する角度に近づけることができ、衝撃によってカムフォロアと壁面が接触する際にカムフォロアが脱落しにくくなる。よって、レンズ鏡筒への衝撃に対する強度を高めることができる。
【００７４】
［Ｆ４］
前記第１のカムフォロア（第２カムピン１２２）の前記第１のカム溝（第２カム溝１３８）と係合する部分の幅の最大値は、前記第２のカムフォロア（第３カムピン１３７）の前記第２のカム溝（第３カム溝１２３）と係合する部分の幅の最大値と異なる、
Ｆ２に記載のレンズ鏡筒。
（効果）設計自由度を確保できる。たとえば、設計都合で一方のカムフォロアを小さくし、他方を大きくすることで、落下強度を確保できる。
【００７５】
［Ｆ５］
外側または内側の一方の側面に、第１のカム溝（第２カム溝１３８）と、第１のカムフォロア（第３カムピン１３７）とを有する、第１の筒（１群枠１０１）と、
前記第１の筒の前記側面側に配置され、前記第１のカムフォロア（第３カムピン１３７）と係合する第２のカム溝（第３カム溝１２３）と、前記第１のカム溝と係合する第２のカムフォロア（第２カムピン１２２）とを有する、第２の筒（カム枠１０３）と、
を備えるカム機構。
（効果）前記第２の筒は、前記第１の筒に対して相対的に回転することにより、前記第１の筒に対して相対的に回転軸方向に移動する。そして、カムフォロアを第１の筒と第２の筒の双方に配置できるのでカムフォロアの本数を増やすことができ、落下強度を上げることができる。
【００７６】
［Ｆ６］
前記第２のカムフォロア（第２カムピン１２２）の前記第１のカム溝（第２カム溝１３８）と係合する部分の幅の最大値は、前記第１のカムフォロア（第３カムピン１３７）の前記第２のカム溝（第３カム溝１２３）と係合する部分の幅の最大値よりも、広い、
Ｆ５に記載のカム機構。
（効果）設計自由度を確保できる。たとえば、設計都合で一方のカムフォロアを小さくし、他方を大きくすることで、落下強度を確保できる。
【００７７】
［Ｆ７］
前記第２の筒（カム枠１０３）が、前記第１の筒（１群枠１０１）に対して相対的に回転し、前記第１の筒に対して相対的に回転軸方向に移動するとき、前記第１のカムフォロア（第３カムピン１３７）が移動する領域の一部は、前記第２の筒の前記回転軸方向の端部よりも外側に位置している、
Ｆ６に記載のカム機構。
（効果）第２の筒の長さを短くすることができる。とくに、第１のカムフォロアが通過する第２のカム溝が第１の筒の中で長さ方向にはみ出していることで、幅の広い溝を有する第２の筒が長さ方向に大きくなることを防げる。総合的に、カム機構全体の沈胴時の長さを小さくすることができる。
【００７８】
［Ｆ８］
前記第１のカムフォロア（第３カムピン１３７）は、前記領域の一部に位置しているとき（図１１または図１２）、前記第１の筒と前記第２の筒が繰り込む方向の力を受けると、前記第２の筒と接触する、
Ｆ７に記載のカム機構。
（効果）筒が繰り込む方向への落下強度を確保することができる。
【００７９】
（実施の形態２）
次に実施の形態２にかかるレンズ鏡筒２００（図示せず）について説明する。ここでは、図１３、１４に示す１群枠２０１とカム枠２０３との関係について説明するが、レンズ鏡筒２００の他の構成についての説明は省略する。なお、カム枠２０３は、実施の形態１におけるカム枠１０３と異なり、ズームモータで直接駆動されない。そのため、カム枠２０３は、ギア部を有していない。しかし、ギア部は、ここに開示される技術を限定するものではない。
【００８０】
図１５〜１７に、１群枠２０１とカム枠２０３との位置関係を展開した展開図を示す。各図において、１群枠２０１については内周側の面を実線で示し、カム枠２０３については外周側の面を実線で示す。また、カム枠２０３のうち、１群枠２０１と重複している部分を、破線で示す。図１５は、レンズ鏡筒２００が沈胴状態のときの位置関係を示す。図１６は、光学系Ｏが広角端のときの位置関係を示す。図１７は、光学系Ｏが望遠端のときの位置関係を示す。カム枠２０３が一方向に回転することにより、図１５の状態から図１６の状態を経て図１７の状態に移行する。その際、展開図上、カム枠２０３が１群枠２０１に対して左に移動する。
【００８１】
第２カムピン２２３は、図１５に示す位置から図１７に示す位置まで、第２カム溝２２２に沿って移動する。
その際の、第１補助ピン２２１の移動軌跡２２１Ｔ、および、第２補助ピン２２４の移動軌跡２２４Ｔを図１５から図１７に図示している。
【００８２】
図１６に示すように、壁２３０は、移動軌跡２２１Ｔの一部の範囲に沿って形成されている。具体的には、第１補助ピン２２１が図１７に示す状態から図１６に示す状態に移動する際の移動軌跡と、図１６に示す状態から図１５に示す状態に移動する際の最初の一部の起動軌跡に沿って形成されている。すなわち、壁２３０は、光学系Ｏの焦点距離を変更する際に第１補助ピン２２１が移動する全区間の移動軌跡に沿って形成されている。したがって、使用者が撮影時にカメラを落下するなどしてレンズ鏡筒２００に外力が加わったとき、壁２３０と第１補助ピン２２１とが接触し、外力を受ける。そして、第２カムピン２２３に加わる力を低減することができる。
【００８３】
壁２３０は、移動軌跡２２１Ｔの一部の範囲に沿って、光軸ＡＸ方向の片側にのみ形成されている。そのため、壁２３０を光軸ＡＸ方向の両側に形成する場合と比較して、１群枠２０１を成型するための金型の形状が簡単になる。したがって、１群枠２０１の製造が容易である。なお、他の実施形態として、１群枠２０１がカム枠２０３の内側に配置され、壁２３０が１群枠２０１の外周に形成されてもよい。一方、本実施形態では、壁２３０が１群枠２０１の内側に配置されているため、上記効果がより顕著である。すなわち、１群枠２０１の内側に壁２３０を光軸ＡＸ方向の両側に形成する場合、金型の形状が複雑になりやすいが、本実施形態の形状では、金型の形状が簡単になる。また、第１補助ピン２２１の大きさを大きくすることができるため、第１補助ピン２２１の強度が高まる。そのため、レンズ鏡筒２００はより壊れにくい。
【００８４】
壁２３０は、１群枠２０１がカム枠２０３に繰り込む方向の外力が加わったときに、第１補助ピン２２１と接触する。カメラを落下して加わる衝撃は、１群枠２０１がカム枠２０３に繰り込む方向である頻度が高い。そのため、レンズ鏡筒２００は、より壊れにくい。なお、他の実施形態として、壁２３０は、１群枠２０１がカム枠２０３から繰り出す方向の外力が加わったときに、第１補助ピン２２１と接触する構成としてもよい。カメラが落下し、カメラの本体に衝撃が加わると、１群枠２０１が慣性力によってカム枠２０３から繰り出そうとする場合に、第２カムピン２２３に加わる衝撃が緩和される。
【００８５】
壁２３０は、一部の範囲において、ある方向、具体的には光軸方向の像面側の方向に、開放されている。そのため、壁２３０を形成する場合に１群枠２０１の内部に配置される金型を、成型後、開放された方向に抜くことができるので、金型の形状が簡単である。
【００８６】
壁２３０のうち、光軸方向に開放されている円周方向の範囲は、第２カムピン２２３が形成されている円周方向の位置と、重複していない。そのため、１群枠２０１を形成するための金型の形状がより簡単である。
【００８７】
図１６に示すように、第１補助溝２２５は、移動軌跡２２４Ｔの一部の範囲に沿って形成されている。具体的には、第２補助ピン２２４が図１５に示す状態から図１６に示す状態に移動する際の移動軌跡と、図１６に示す状態から図１７に示す状態に移動する際の途中までの起動軌跡に沿って形成されている。したがって、たとえば図１６に示す状態で使用者が撮影時にカメラを落下するなどしてレンズ鏡筒２００に外力が加わったとき、第１補助溝２２５と第２補助ピン２２４とが接触し、外力を受ける。そして、第２カムピン２２３に加わる力を低減することができる。このように、レンズ鏡筒２００が沈胴状態から撮影可能状態に移行するとき、および、撮影可能状態においてズーミングが行われるときの少なくとも一部の状態において、外力が加わったときに第２補助ピン２２４と第１補助溝２２５とが接触可能であり、さらに、第１補助ピン２２１と壁２３０とが接触可能である。よって、外力に対する強度がさらに高まる。以下、この状態を二重衝撃保護状態という。本実施形態では、光学系Ｏが広角端の状態のとき、レンズ鏡筒２００は二重衝撃保護状態である。光学系Ｏが広角端での撮影頻度が高いため、レンズ鏡筒２００は、より壊れにくい。また、本実施形態では、光学系Ｏが広角端から望遠端へ移行するとき、カム枠２０３に対する１群枠２０１の繰り出し量が極小値となるときがある。図１５に示す第２カム溝２２２において紙面下方向に凸となっている極小値の位置に第２カムピン２２３が位置するときである。このとき、レンズ鏡筒２００は二重衝撃保護状態である。１群枠２０１の繰り出し量が極小値でないときに１群枠２０１に光軸ＡＸ方向の外力が加わると、その力の一部がカム枠２０３を回転する力に分散され、第２カムピン２２３に加わる力を低減できる。しかし、１群枠２０１の繰り出し量が極小値のときに１群枠２０１に光軸ＡＸ方向の外力が加わると、その力はカム枠２０３を回転する力に分散されにくく、第２カムピン２２３に加わる力が大きい。そのため、このときにレンズ鏡筒２００を二重衝撃保護状態とすることにより、レンズ鏡筒２００はより壊れにくい。
【００８８】
また、レンズ鏡筒２００は、二重衝撃保護状態の他、外力が加わったときに第２補助ピン２２４と第１補助溝２２５との接触、および、第１補助ピン２２１と壁２３０との接触のうち、一方が発生する状態と、他方が発生する状態を有する。本実施形態では、図１７に示すように、光学系Ｏが広角端のときに外力が加わると、第２補助ピン２２４と第１補助溝２２５は接触しないが、第１補助ピン２２１と壁２３０が接触する。また、図１５に示すように、レンズ鏡筒２００が沈胴状態のときに外力が加わると、第２補助ピン２２４と第１補助溝２２５は接触し、第１補助ピン２２１と壁２３０は接触しない。したがって、レンズ鏡筒２００が二重衝撃保護状態でないときでも、レンズ鏡筒２００は外力に対して壊れにくい。さらに、壁２３０と第１補助溝２２５とは、レンズ鏡筒２００の状態によって衝撃を保護する役割を分担しているため、壁２３０と第１補助溝２２５の形状を小さくすることができ、レンズ鏡筒２００の設計自由度が高い。たとえば、１群枠２０１を成型する金型を簡単に構成できる。また、たとえば、第１補助溝２２５が形成される部分のカム枠２０３の光軸ＡＸ方向の大きさを小さくすることができ、レンズ鏡筒２００の沈胴状態の大きさを小さくすることができる。
【００８９】
＜他の実施形態＞
（Ａ）実施の形態２では、１群枠２０１の内側にカム枠２０３が収容される構成であったが、１群枠２０１の外側にカム枠２０３が収容される構成であってもよい。
【００９０】
（Ｂ）実施の形態２では、第２カムピン２２３は、略円筒形状であった。第２カムピン２２３はカムフォロアの一例である。カムフォロアは、楕円形状やその他の形状であってもよい。カムフォロアは、樹脂による一体成型であってもよく、金属等の他の部材で構成されてもよい。また、カムフォロアは、軸とローラーとで構成されてもよい。
【００９１】
（Ｃ）第１補助ピン２２１および第２補助ピン２２４は突起の一例である。第１補助ピン２２１および第２補助ピン２２４は楕円形状やその他の形状であってもよい。第１補助ピン２２１および第２補助ピン２２４は、樹脂による一体成型であってもよく、金属等の他の部材で構成されてもよい。また、第１補助ピン２２１および第２補助ピン２２４は、軸とローラーとで構成されてもよい。
【００９２】
（Ｄ）二重保護状態を実現するためには、以下のような形態としてもよい。たとえば、壁２３０は、光軸ＡＸ方向の両側に形成されていてもよい。また、壁２３０は、レンズ鏡筒２００が沈胴状態から撮影可能状態に移行するとき、および、撮影可能状態においてズーミングが行われるときの第１補助ピン２２１の移動軌跡２２１Ｔの全区間に沿って形成されていてもよく、一部の区間に沿って形成されていてもよい。第２カム溝２２２も同様に、レンズ鏡筒２００が沈胴状態から撮影可能状態に移行するとき、および、撮影可能状態においてズーミングが行われるときの第２補助ピン２２４の移動軌跡２２４Ｔの全区間に沿って形成されていてもよく、一部の区間に沿って形成されていてもよい。
【００９３】
（Ｅ）第２カムピン２２３をカム枠２０３に設け、第２カム溝２２２を１群枠２０１に設けてもよい。しかし、上述の実施形態のように、壁２３０と第２カムピン２２３を１群枠２０１に設ける、すなわち、１群枠２０１に第２カム溝２２２を設けない方が、１群枠２０１を成型するための金型の形状が簡単になるため、好ましい。
【００９４】
（Ｆ）なお、以上の実施の形態２は、本質的に好ましい例示であって、本発明、その適用物、あるいはその用途の範囲を制限することを意図するものではない。また、前記実施形態は、適宜、修正し、省略し、又は組み合わせて用いることができる。
【００９５】
＜実施の形態２の特徴＞
上記実施形態において特徴的な部分を以下に列記する。なお、上記実施形態に含まれる発明は、以下に限定されるものではない。各構成の後ろに括弧で記載したものは、特徴の理解を助けるために記載した、各構成の具体例である。各構成はこれらの具体例に限定されるものではない。また、各特徴について記載された効果を得るためは、記載された特徴以外の構成は変形または削除されてもよい。
【００９６】
［Ｆ１］
レンズ鏡筒２００は、
被写体の光学像を形成する光学系（Ｏ）と、
前記光学系（Ｏ）に含まれる少なくとも１枚のレンズ（Ｇ１）を支持する第１の筒（１群枠２０１）と、
前記第１の筒の内側または外側に設けられた第２の筒（カム枠２０３）と、を備え、
前記第１の筒および前記第２の筒の一方（カム枠２０３）は、カム溝（第２カム溝２２２）を有し、
前記第１の筒および前記第２の筒の他方（１群枠２０１）は、前記カム溝と係合するカムフォロア（第２カムピン２２３）を有し、
前記第１の筒は、前記第２の筒の側に突出した第１の突起（第２補助ピン２２４）を有し、
前記第２の筒は、前記第１の筒の側に突出した第２の突起（第１補助ピン２２１）を有し、
前記第１の筒は、前記カムフォロアが前記カム溝に沿って移動するときに前記第２の突起（第１補助ピン２２１）が移動する移動軌跡に沿って形成された第１の壁（壁２３０）を有し、
前記第２の筒は、前記カムフォロアが前記カム溝に沿って移動するときに前記第１の突起（第２補助ピン２２４）が移動する移動軌跡に沿って形成された第２の壁（第１補助溝２２５）を有する。
【００９７】
これにより、外力が加わったときにカムフォロアに作用する力を緩和することができる。また、そのようなレンズ鏡筒の設計自由度が高い。
【産業上の利用可能性】
【００９８】
ここに開示された技術は、たとえば、デジタルカメラ、カムコーダ、フィルムカメラ、携帯電話、プロジェクター等の投射光学系を有する機器等に用いられる、レンズ鏡筒として利用可能である。
【符号の説明】
【００９９】
１    デジタルカメラ
１００    レンズ鏡筒
Ｏ    光学系
ＡＸ    光軸
１０１    １群枠
１０２    １群直進枠
１０３    カム枠
１０４    ２群直進枠
１０５    ブレ補正枠
１０６    シャッターユニット
１０７    固定枠
１０８    ３群枠
１１０    ＣＣＤ
Ｇ１    第１レンズ群
１１２    第１カム溝
１１３    第１直進案内溝
１１４    第１駆動ギア
１１５    取付部
１１６    ズームモーターユニット
１１７    筒部
１１８    第１フランジ部
１１９    第１カムピン
１２０    ギア部
１２１    第１バヨネット係合部
１２２ＡＴ    移動軌跡
１２２ＢＴ    移動軌跡
１２２Ａ    第２前方カムピン
１２２Ｂ    第２後方カムピン
１２２    第２カムピン
１２３    第３カム溝
１２４    壁面
１２５Ａ    第４前方カム溝
１２５Ｂ    第４後方カム溝
１２５    第４カム溝
１２６    第２バヨネット係合部
１２７    第１直進案内凸部
１２８    第２直進案内溝
１２９    第３バヨネット係合部
１３０    第２フランジ部
１３１    腕部
１３２    第２直進案内凸部
１３３    第４バヨネット係合部
１３４    バリアユニット
１３５    バリア部
１３６    第３直進案内凸部
１３７Ｔ    移動軌跡
１３７    第３カムピン
１３８Ａ    第２前方カム溝
１３８Ｂ    第２後方カム溝
１３８    第２カム溝
１３９Ａ    第４前方カムピン
１３９Ｂ    第４後方カムピン
１３９    第４カムピン
１４０    第３直進案内溝
１４１    直進ガイド部
１４２    回転防止部
１４３    ナット係合部
１４４    第１ガイドポール
１４５    第２ガイドポール
１４６    ＣＣＤ取付板
１４７    開口部
１４８    フォーカスモーターユニット
１４９    ナット
２００    レンズ鏡筒
２０１    １群枠
２０３    カム枠
２２１    第１補助ピン
２２１Ｔ    移動軌跡
２２２    第２カム溝
２２３    第２カムピン
２２４    第２補助ピン
２２４Ｔ    移動軌跡
２２５    第１補助溝
２３０    壁
【図１】
2012073518.tif 000003
【図２】
2012073518.tif 000004
【図３】
2012073518.tif 000005
【図４】
2012073518.tif 000006
【図５Ａ】
2012073518.tif 000007
【図５Ｂ】
2012073518.tif 000008
【図６Ａ】
2012073518.tif 000009
【図６Ｂ】
2012073518.tif 000010
【図７Ａ】
2012073518.tif 000011
【図７Ｂ】
2012073518.tif 000012
【図８】
2012073518.tif 000013
【図９】
2012073518.tif 000014
【図１０】
2012073518.tif 000015
【図１１】
2012073518.tif 000016
【図１２】
2012073518.tif 000017
【図１３】
2012073518.tif 000018
【図１４】
2012073518.tif 000019
【図１５】
2012073518.tif 000020
【図１６】
2012073518.tif 000021
【図１７】
2012073518.tif 000022
【国際調査報告】
2012073518.tif 000023
2012073518.tif 000024
2012073518.tif 000025
2012073518.tif 000026